(57)【要約】【課題】  衣類用ハンガーに掛けられる衣類の体形やサイズに係る表示を遠くからでも見易いように大きく表示したり又はサイズ表示に限定されることなく衣類の簡単な説明や広告案等を表示可能な表示ラベルを提供する。【解決手段】  帯状紙片の中心部に設けられた前記ハンガーの吊下用フックを通すための挿通孔と、前記挿通孔を中心に前記帯状紙片の何れか一方の側又は両側に設けられ、衣類用ハンガーに掛けられる衣類のサイズ、広告、案内等の表示を、前記挿通孔を上側にして記載表示した表示部と、前記帯状紙片の両端に設けられ、衣類用ハンガーの中央部下方の凹部内に折り込まれて挿入される掛止用舌部と、から構成される。【選択図】  図１
0003106685.tif 000002
【実用新案登録請求の範囲】
【請求項１】
衣類用ハンガーに装着されて使用される表示ラベルであって、
帯状紙片の中心部に設けられた前記ハンガーの吊下用フックを通すための挿通孔と、
前記挿通孔を中心に前記帯状紙片の何れか一方の側又は両側に設けられ、衣類用ハンガーに掛けられる衣類のサイズ、広告、案内等の表示を、前記挿通孔を上側にして記載表示した表示部と、
前記帯状紙片の両端に設けられ、衣類用ハンガーの中央部下方の凹部内に折り込まれて挿入される掛止用舌部と、
から構成されたことを特徴とするハンガー用表示ラベル。
【請求項２】
前記帯状紙片の形状は、前記挿通孔を中心に対称である請求項１に記載のハンガー用表示ラベル。
【請求項３】
前記表示部は、一方の側の記載表示と他方の側の記載表示が同一又は異なる表示である請求項１に記載のハンガー用表示ラベル。
【請求項４】
前記挿通孔は、前記吊下用フックを挿通するための穿孔穴又は切込みである請求項１に記載のハンガー用表示ラベル。
【請求項５】
衣類用ハンガーに装着されて使用される表示ラベルであって、
帯状紙片の中心部に設けられた前記ハンガーの吊下用フックを通すための切込み部と、
前記切込みを中心に前記帯状紙片の何れか一方の側又は両側に設けられ、広告、案内等の表示を、前記切込みを上側にして記載表示した表示部と、
前記帯状紙片の両端に設けられ、衣類用ハンガーの中央部下方の凹部内に折り込まれて挿入される掛止用舌部と、から構成され、
前記切込み部は、前記ハンガーに掛けられる衣類のサイズ表示を有し、前記ハンガーの吊下用フックにより引き起こされた状態でサイズ表示を行うように形成されたことを特徴とすることを特徴とするハンガー用表示ラベル。
【請求項６】
前記帯状紙片の形状は、前記挿通孔を中心に対称である請求項５に記載のハンガー用表示ラベル。
【請求項７】
前記表示部は、一方の側の記載表示と他方の側の記載表示が同一又は異なる表示である請求項５に記載のハンガー用表示ラベル。
【請求項８】
衣類用ハンガーに装着されて使用される表示ラベルであって、
帯状紙片の中心部に設けられた前記ハンガーの吊下用フックを通すための第１の挿通孔と、
前記挿通孔を中心に前記帯状紙片の長手方向の何れか一方の側又は両側に設けられ、広告、案内等の表示を、前記挿通孔を上側にして記載表示した広告表示部と、
前記挿通孔を中心に前記帯状紙片の短手方向の両端側に設けられ、前記ハンガーに掛けられる衣類のサイズ表示を有するサイズ表示部と、
衣類用ハンガーの中央部下方の凹部内に折り込まれて挿入される掛止用舌部と、から構成され、
前記サイズ表示部の両端部には、前記吊下用フックに挿通される第２の挿通孔が設けられ、前記ハンガーのフックによって引き上げられた状態でサイズ表示を行うように形成されたことを特徴とすることを特徴とするハンガー用表示ラベル。
【請求項９】
前記帯状紙片の形状は、前記挿通孔を中心に対称である請求項８に記載のハンガー用表示ラベル。
【請求項１０】
前記表示部は、一方の側の記載表示と他方の側の記載表示が同一又は異なる表示である請求項８に記載のハンガー用表示ラベル。
【請求項１１】
少なくともその中央部下方が凹形状に抉れた衣類を掛けるハンガー主体部と、
当該ハンガー主体部の中心部に取り付けられた吊下用フックと、からなり、
前記ハンガー主体部に前記請求項１乃至１０に記載の表示ラベルを装着したことを特徴とする衣類用ハンガー。
【考案の詳細な説明】
【技術分野】
【０００１】
本考案は、衣類小売店舗等の衣類販売現場で使用されるハンガー用表示ラベル及び当該表示ラベルを装着した衣類用ハンガーに関する。
【背景技術】
【０００２】
衣料小売店舗等で使用される衣類用ハンガーには、そのハンガーに掛けられる衣類のサイズを表示するサイズ表示用リングが使用されている。
【０００３】
図１０は、衣料小売店等の販売現場で使用されるハンガーに、このようなサイズ表示用リングが装着された例を示す。図１０に示すように、衣類用ハンガーは、多くの場合、成型されたプラスチック素材のハンガー本体部１と、このハンガー主体部の中心部に取り付けされた吊下用フック２とから構成される。そして、このフック２にサイズ表示用リング３が挿通されることにより、このハンガーに掛けられる衣類のサイズを表示する。
【０００４】
このようなサイズ表示用リング３は、主にプラスチック製で、Ａ体（標準体）、Ｂ体（太め体）、Ｙ体（痩身体）、ＡＢ体（やや太め体）の体形別又はサイズ別に色分けされ、体形及びサイズを表示するＡ４、Ａ５、Ａ６や、サイズのみを表示するＬ、Ｍ、Ｓ等に刻印表示して使用されている。
【考案の開示】
【考案が解決しようとする課題】
【０００５】
しかしながら、このようなサイズ表示用リング３は、その表示文字が小さいことから遠くからの視認が困難であり、衣類の体形やサイズを表示するのみで当該衣類の説明や店舗の広告又は案内等の表示をすることはできない。
【０００６】
また、このようなサイズ表示用リング３は、吊下用フック２に挿通されておりハンガー本体２自体に係止されていないことから、消費者がハンガーに掛けてある衣料品を試着等する際に落下してしまうことがあった。
【０００７】
さらに、このようなサイズ表示用リング３はプラスチック製であるため、廃棄する際、紙類等の塵とは区分して廃棄する必要があった。また、個人的には製造することができないので、専門の業者に発注せざるを得なかった。
【課題を解決するための手段】
【０００８】
本願は、このような従来のサイズ表示用リングに替わって、又はこのようなサイズ表示用リングと共に使用される衣類ハンガー用ラベルに係るものであって、その第１の形態として、衣類用ハンガーに装着されて使用される表示ラベルであって、帯状紙片の中心部に設けられた前記ハンガーの吊下用フックを通すための挿通孔と、前記挿通孔を中心に前記帯状紙片の何れか一方の側又は両側に設けられ、衣類用ハンガーに掛けられる衣類のサイズ、広告、案内等の表示を、前記挿通孔を上側にして記載表示した表示部と、前記帯状紙片の両端に設けられ、衣類用ハンガーの中央部下方の凹部内に折り込まれて挿入される掛止用舌部と、から構成されたことを特徴とするハンガー用表示ラベルを提供するものである。
【０００９】
これによって、衣類用ハンガーに掛けられる衣類の体形やサイズに係る表示を遠くからでも見易いように大きく表示すると共に、衣類の体形やサイズに係る表示のみに限定されることなく、当該衣類の簡単な説明や当該店舗のキャッチフレーズ等の広告又は案内を記載して表示することを可能にしたのである。
【００１０】
そして、本表示用ラベルは、その掛止用舌部が衣類用ハンガーの中央部下方の凹部内に折り込まれて挿入されることにより、衣料の試着等の際に安易に落下することがないのである。
【００１１】
ここで、前記帯状紙片の形状は、前記挿通孔を中心に対称である。また、前記表示部は、一方の側の記載表示と他方の側の記載表示が同一の表示であっても、異なる表示であってもよい。そして、前記挿通孔は、吊下用フックを挿通するための穿孔穴又は切込みである。
【００１２】
本願は、また、その第２の形態として、帯状紙片の中心部に設けられた前記ハンガーの吊下用フックを通すための切込み部と、前記切込みを中心に前記帯状紙片の何れか一方の側又は両側に設けられ、広告、案内等の表示を、前記切込みを上側にして記載表示した表示部と、前記帯状紙片の両端に設けられ、衣類用ハンガーの中央部下方の凹部内に折り込まれて挿入される掛止用舌部と、から構成され、前記切込み部は、前記ハンガーに掛けられる衣類のサイズ表示を有し、前記ハンガーの吊下用フックにより引き起こされた状態でサイズ表示を行うように形成されたことを特徴とすることを特徴とするハンガー用表示ラベルを提供するものである。
【００１３】
本願は、さらに、その第３の形態として、帯状紙片の中心部に設けられた前記ハンガーの吊下用フックを通すための第１の挿通孔と、前記挿通孔を中心に前記帯状紙片の長手方向の何れか一方の側又は両側に設けられ、広告、案内等の表示を、前記挿通孔を上側にして記載表示した広告表示部と、前記挿通孔を中心に前記帯状紙片の短手方向の両端側に設けられ、前記ハンガーに掛けられる衣類のサイズ表示を有するサイズ表示部と、衣類用ハンガーの中央部下方の凹部内に折り込まれて挿入される掛止用舌部と、から構成され、前記サイズ表示部の両端部には、前記吊下用フックに挿通される第２の挿通孔が設けられ、前記ハンガーの吊下用フックによって引き上げられた状態でサイズ表示を行うように形成されたことを特徴とすることを特徴とするハンガー用表示ラベルを提供するものである。
【考案の効果】
【００１４】
このように、本考案に係るハンガー表示用ラベルは、ハンガーに掛けられる衣類の体形やサイズに係る表示を遠くからでも見易いように大きく表示すると共に衣類の体形やサイズに係る表示のみに限定されることなく当該衣類の簡単な説明や当該店舗のキャッチフレーズ等の広告又は案内を記載表示することを可能にしたのである。
【００１５】
また、本ハンガー表示用ラベルは、ハンガーへの装着や脱着が容易である一方、衣類の試着等の際に装着したハンガーから容易に落下しない。さらに、素材がプラスチックではなく紙で形成することが可能であることから従来のサイズ表示用リングよりも安価であり、廃棄の際に紙屑と一緒に廃棄できる。
【考案を実施するための最良の形態】
【００１６】
以下、本考案に係るハンガー用表示ラベルの詳細を図面を参照しつつ説明する。
【実施例１】
【００１７】
図１は、本考案の実施例１に係るハンガー表示用ラベルの第１の例を示す。
図１に示す実施例１の第１の例は、ハンガーに掛けられる衣類のサイズを表示するものであって、帯状紙片４の中心部に設けられたハンガーの吊下用フックを通すための挿通孔５と、挿通孔５を中心に帯状紙片４の両側（何れか一方側のみでも良い）に設けられ、衣類用ハンガーに掛けられる衣類のサイズを表示する表示部６と、表示部６の先端側であって帯状紙片５の両端に設けられた掛止用舌部７と、から構成される。
この第１の例における挿通孔５は、十字の切込みによって形成される。
【００１８】
図９に示すように、本考案に係るハンガー用表示ラベルは、その何れの形態においても、帯状紙片４の両端に設けられた掛止用舌部７が、衣類用ハンガーの中央部下方の凹部内に折り込まれて挿入されることにより、折り込まれた双方の掛止用舌部が相互に干渉することで、本表示ラベル全体が、ハンガーにしっかりと係止して、容易に外れて落下しないように構成されている。このため、本表示ラベルに使用される帯状紙片４は、通常のコピー用印刷紙等でも良いが、なるべく厚手の用紙のほうがその係止性には優れる。
【００１９】
図１に示すように、帯状紙片４の形状は、挿通孔５を中心に左右及び上下において対称である。また、表示部６は、一方の側の記載表示と他方の側の記載表示が同一であり両側の表示部６における表示記載は、挿通孔５を上側に記載されている。これによって、本表示ラベルを装着したハンガーは、その両側から本表示ラベルの表示を視認することができるのである。
【００２０】
図２は、本考案の実施例１に係るハンガー表示用ラベルの第２の例を示す。
図２に示す実施例１の第２の例は、ハンガーに掛けられる衣類がセール対象品（ディスカウント品）であることを表示するものである。この第２の例に係る表示ラベルの構成は、図１に示したものと同様であるが、挿通孔５は、十字状の切込みではなく、穿孔穴によって形成される。
【００２１】
また、帯状紙片４の形状は、挿通孔５を中心に左右及び上下において対称であり、表示部６は、一方の側の記載表示と他方の側の記載表示が同一であって挿通孔５を上側にして記載表示されている。これによって、本表示ラベルを装着したハンガーは、その両側から本表示ラベルの表示を視認することができる。
【００２２】
図３は、本考案の実施例１に係るハンガー表示用ラベルの第３の例を示す。
図３に示す実施例１の第３の例は、ハンガーに掛けられる衣類とは関係しない広告を表示するものである。この第３の例に係る表示ラベルの構成は、図１に示したものと同様であり、挿通孔５は十字の切込みによって形成される。
【００２３】
帯状紙片４の形状は、挿通孔５を中心に左右及び上下において対称であるが、表示部６は、一方の側の記載表示と他方の側の記載表示が相違しており、両表示部の記載は、挿通孔５を上側にして記載表示されている。これによって、消費者は、本表示ラベルを装着したハンガーは、その一方の側からと他方の側から異なる記載を視認することとなる。
【００２４】
図４は、本考案の実施例１に係るハンガー表示用ラベルの第４の例を示す。図４に示す実施例１の第５の例は、当該店舗の広告文を表示するものである。この第４の例に係る表示ラベルの構成は、図１に示したものと同様であり、挿通孔５は十字状の切込みによって形成される。
【００２５】
帯状紙片４の形状は、挿通孔５を中心に左右及び上下において対称であるが、表示部６は、一方の側の記載表示と他方の側の記載表示が同一であり、挿通孔５を上側にして記載表示されている。
【００２６】
図９に示すように、本考案に係るハンガー用表示ラベルは、ハンガー主体部１の中央部に装着される。その装着は、上述したように、その何れの実施の形態においても、帯状紙片４の両端に設けられた掛止用舌部７が、衣類用ハンガーの中央部下方の凹部内に折り込まれて挿入されることにより、折り込まれた双方の掛止用舌部が相互に干渉することで、本表示ラベル全体が、ハンガーにしっかりと係止する。
【実施例２】
【００２７】
図５は、本考案の実施例２に係るハンガー表示用ラベルの例を示す。
図５に示す本考案の実施例２は、クリスマスセール中にハンガーに掛けられる表示ラベルの例を示すものであって、帯状紙片４の中心部に設けられたハンガーの吊下用フックを通すための切込み８と、この切込み８を中心に帯状紙片４の両側（何れか一方側のみでも良い）に設けられ、クリスマスセールを盛り上げるための表示を、この切込み８を上側にして記載表示した表示部６と、帯状紙片５の両端に設けられて衣類用ハンガーの中央部下方の凹部内に折り込まれて挿入される掛止用舌部７と、から構成される。
【００２８】
本実施例２に係る表示用ラベルが、先に説明した実施例１に係る表示用ラベルと異なる点は、切込み８の箇所（切込み部）は、ハンガーに掛けられる衣類のサイズ表示欄を有し、この切込み部におけるサイズ表示欄がハンガーの吊下用フックにより引き起こされた状態でサイズ表示を行うように形成された点にある。
【００２９】
本実施例２に係る表示用ラベルの２つの表示部６には、第１実施例と同様に、同一又は異なる広告又は案内表示がなされる。
【００３０】
図６は、図５に示した実施例２のハンガー表示用ラベルが、衣類用ハンガーに装着された状態を示す。図示のように、切込み８におけるサイズ表示欄が、ハンガーの吊下用フックにより引き起こされた状態でサイズ表示を行うこととなる。
【００３１】
尚、表示部６における表示は、上述した実施例１の第１乃至第４の例における説明と同様である。
【実施例３】
【００３２】
図７は、本考案の実施例３に係るハンガー表示用ラベルの例を示す。
図７に示す本考案の実施例３は、先の実施例２と同様に、クリスマスセール中にハンガーに掛けられる表示ラベルの例を示すものであって、帯状紙片４の中心部に設けられたハンガーの吊下用フックを通すための第１の挿通孔５と、挿通孔５を中心に帯状紙片４の長手方向の両側（何れか一方側のみでも良い）に設けられ、クリスマスセールを盛り上げるための表示を、挿通孔５を上側にして記載表示した広告表示部６と、挿通孔５を中心に帯状紙片４の短手方向の両端側に設けられ、ハンガーに掛けられる衣類のサイズ表示を有するサイズ表示部９と、衣類用ハンガーの中央部下方の凹部内に折り込まれて挿入される掛止用舌部７と、から構成される。
【００３３】
そして、サイズ表示部９の両端部には、吊下用フックに挿通される第２の挿通孔１０がそれぞれ設けられ、ハンガーの吊下用フックによって引き上げられた状態でサイズ表示を行うように形成されている。
【００３４】
図８は、図７に示した実施例３のハンガー表示用ラベルが、衣類用ハンガーに装着された状態を示す。図示のように、本第３の実施例に係る表示ラベルは、２つのサイズ表示が吊下用フック２の両サイドから盛り上がるように形成される。そして、本表示ラベルは、３つの挿通穴５，１０が吊下用フック２によって挿通支持されるので、衣類用ハンガーによりしっかりと係止されるのである。
【００３５】
尚、表示部６における表示は、上述した実施例１の第１乃至第４の例における説明と同様である。
【産業上の利用可能性】
【００３６】
本考案は、衣類小売店舗等の衣類販売現場で使用されるハンガー用表示ラベル及び当該表示ラベルを装着した衣類用ハンガーに関するものであり、産業上の利用可能性を有する。
【図面の簡単な説明】
【００３７】
【図１】本考案の実施例１に係るハンガー表示用ラベルの第１の例（サイズ表示）を示す。
【図２】本考案の実施例１に係るハンガー表示用ラベルの第２の例（案内表示）を示す。
【図３】本考案の実施例１に係るハンガー表示用ラベルの第３の例（広告表示）を示す。
【図４】本考案の実施例１に係るハンガー表示用ラベルの第４の例（広告表示）を示す。
【図５】本考案の実施例２に係るハンガー表示用ラベルの例を示す。
【図６】図５に示した実施例２のハンガー表示用ラベルが、衣類用ハンガーに装着された状態を示す。
【図７】本考案の実施例３に係るハンガー表示用ラベルの例を示す。
【図８】図７に示した実施例３のハンガー表示用ラベルが、衣類用ハンガーに装着された状態を示す。
【図９】本考案のハンガー表示用ラベルの掛止用舌部が、衣類用ハンガーの凹部内に折り込まれて挿入された状態を示す。
【図１０】従来から使用されているサイズ表示用リングを装着した衣類用ハンガーの例を示す。
【符号の説明】
【００３８】
１：ハンガー本体部
２：吊下用フック
３：サイズ表示用リング
４：帯状紙片
５：挿通孔
６：表示部
７：掛止用舌部
８：切込み（サイズ表示部）
９：サイズ表示部
１０：サイズ表示部における挿通孔
【図１】
0003106685.tif 000003
【図２】
0003106685.tif 000004
【図３】
0003106685.tif 000005
【図４】
0003106685.tif 000006
【図５】
0003106685.tif 000007
【図６】
0003106685.tif 000008
【図７】
0003106685.tif 000009
【図８】
0003106685.tif 000010
【図９】
0003106685.tif 000011
【図１０】
0003106685.tif 000012
【手続補正書】
【提出日】平成16年8月12日(2004.8.12)
【手続補正１】
【補正対象書類名】図面
【補正対象項目名】図３
【補正方法】変更
【補正の内容】
【図３】
0003106685.tif 000013